【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
カメラを遠隔のクライアントから制御可能なカメラ制御システムにおいて、
前記カメラは、
撮像手段と、
前記クライアントからの移動命令に応じて、前記撮像手段によって撮像された画像信号内の検出領域を管理する検出領域管理手段と、
前記検出領域管理手段によって管理された検出領域の画像信号に基づいて焦点調節を実行する自動焦点調節手段と、
前記検出管理手段によって管理されている検出領域の位置情報を前記クライアントに出力する位置情報出力手段とを備え、
前記クライアントは、
前記検出領域の移動命令を前記カメラに出力する移動命令出力手段と、
前記検出領域の形状および大きさを記憶する記憶手段と、
前記カメラから出力された前記検出領域の位置情報、および、前記記憶手段によって記憶された形状および大きさに基づいて、撮影画像に重畳して前記検出領域を表示する表示手段とを備えることを特徴とするカメラ制御システム。
【請求項２】
カメラを遠隔のクライアントから制御可能なカメラ制御システムの制御方法において、
前記検出領域の移動命令を前記カメラに出力する移動命令出力工程と、
前記移動命令出力工程からの移動命令に応じて、撮像された画像信号内の検出領域を管理する検出領域管理工程と、
前記検出領域管理工程によって管理された検出領域の画像信号に基づいて焦点調節を実行する自動焦点調節工程と、
前記検出管理工程によって管理されている検出領域の位置情報を前記クライアントに出力する位置情報出力工程と、
前記カメラから出力されたカメラからの位置情報、および、クライアント側において予め記憶された前記検出領域の形状および大きさに基づいて、前記検出領域を前記撮影画像に重畳して表示する表示工程とを備えることを特徴とするカメラ制御システムの制御方法。
【請求項３】
請求項２において、さらに、前記検出領域管理工程によって管理された検出領域の画像信号に基づいて露出調節を実行する自動露出調節工程とを備えることを特徴とするカメラ制御システムの制御方法。
【請求項４】
請求項２または請求項３において、前記カメラの現在のカメラパラメータに関する情報を前記クライアントに出力するカメラパラメータ出力工程とを備えることを特徴とするカメラ制御システムの制御方法。
【請求項５】
請求項２ないし請求項４のいずれか一項において、前記カメラの異なる仕様に対応して、前記検出領域の形状および大きさが予め複数組記憶されていることを特徴とするカメラ制御システムの制御方法。
【請求項６】
請求項２ないし請求項４のいずれか一項において、前記カメラは、載置台上の原稿あるいは物体を撮像する書画カメラであることを特徴とするカメラ制御システムの制御方法。
【請求項７】
カメラを遠隔のクライアントから制御可能なカメラ制御システムのクライアントの処理を実行させるプログラムを記憶した記憶媒体であって、
撮像された画像信号の検出領域の移動命令を前記カメラに出力させ、
前記検出領域の形状および大きさを記憶させ、
前記カメラから出力された前記検出領域の位置情報、および、記憶させた形状および大きさに基づいて、前記撮影画像に重畳して前記検出領域を表示させるプログラムを記憶した記憶媒体。
【請求項８】
カメラにより撮影された画像における検出領域に応じて、カメラの調整パラメータを制御するカメラ制御システムの制御方法であって、
予め複数のカメラについての検出領域情報を記憶手段に記憶しておき、
前記カメラのカメラ仕様情報を取得し、
取得したカメラ仕様情報に対応する検出領域を前記記憶手段から読み出し、前記カメラにより撮影された画像上に前記読み出した検出領域を示す枠を重畳して表示手段に表示するよう制御することを特徴とするカメラ制御システムの制御方法。
【請求項９】
ユーザ指示に応答して、前記検出領域を示す枠を移動させるとともに移動位置に対応する制御コマンドを前記カメラに対して発行することを特徴とする請求項８に記載のカメラ制御システムの制御方法。
【請求項１０】
前記調整パラメータは、前記検出領域の画像信号に基づき、焦点及び露出の少なくとも１つを自動調整するために使用されるパラメータであることを特徴とする請求項８または９に記載のカメラ制御システムの制御方法。
【請求項１１】
前記枠の重畳は、前記記憶手段を備えるカメラ制御装置において実行され、前記カメラ制御装置は、所定の通信媒体を介して前記カメラに接続されていることを特徴とする請求項８〜１０のいずれかに記載のカメラ制御システムの制御方法。
【手続補正２】
【補正対象書類名】明細書
【補正対象項目名】０００１
【補正方法】変更
【補正の内容】
【０００１】
【発明の属する技術分野】
本発明は、コンピュータからの制御指令によって遠隔制御可能なカメラ制御システム、カメラ制御システムの制御方法、及び記憶媒体に関するものである。
【手続補正３】
【補正対象書類名】明細書
【補正対象項目名】０００９
【補正方法】変更
【補正の内容】
【０００９】
【課題を解決するための手段】
上述した目的を達成するために、本発明のカメラ制御システムは、カメラを遠隔のクライアントから制御可能なカメラ制御システムにおいて、前記カメラは、撮像手段と、前記クライアントからの移動命令に応じて、前記撮像手段によって撮像された画像信号内の検出領域を管理する検出領域管理手段と、前記検出領域管理手段によって管理された検出領域の画像信号に基づいて焦点調節を実行する自動焦点調節手段と、前記検出管理手段によって管理されている検出領域の位置情報を前記クライアントに出力する位置情報出力手段とを備え、前記クライアントは、前記検出領域の移動命令を前記カメラに出力する移動命令出力手段と、前記検出領域の形状および大きさを記憶する記憶手段と、前記カメラから出力された前記検出領域の位置情報、および、前記記憶手段によって記憶された形状および大きさに基づいて、撮影画像に重畳して前記検出領域を表示する表示手段とを備えることを特徴とする。
【手続補正４】
【補正対象書類名】明細書
【補正対象項目名】００１０
【補正方法】変更
【補正の内容】
【００１０】
また、本発明のカメラ制御システムは、カメラを遠隔のクライアントから制御可能なカメラ制御システムの制御方法において、前記検出領域の移動命令を前記カメラに出力する移動命令出力工程と、前記移動命令出力工程からの移動命令に応じて、撮像された画像信号内の検出領域を管理する検出領域管理工程と、前記検出領域管理工程によって管理された検出領域の画像信号に基づいて焦点調節を実行する自動焦点調節工程と、前記検出管理工程によって管理されている検出領域の位置情報を前記クライアントに出力する位置情報出力工程と、前記カメラから出力されたカメラからの位置情報、および、クライアント側において予め記憶された前記検出領域の形状および大きさに基づいて、前記検出領域を前記撮影画像に重畳して表示する表示工程とを備えることを特徴とする。
【手続補正５】
【補正対象書類名】明細書
【補正対象項目名】００１１
【補正方法】変更
【補正の内容】
【００１１】
また、本発明の記憶媒体は、カメラを遠隔のクライアントから制御可能なカメラ制御システムのクライアントの処理を実行させるプログラムを記憶した記憶媒体であって、撮像された画像信号の検出領域の移動命令を前記カメラに出力させ、前記検出領域の形状および大きさを記憶させ、前記カメラから出力された前記検出領域の位置情報、および、記憶させた形状および大きさに基づいて、前記撮影画像に重畳して前記検出領域を表示させるプログラムを記憶する。
【手続補正６】
【補正対象書類名】明細書
【補正対象項目名】００１２
【補正方法】変更
【補正の内容】
【００１２】
また、本発明のカメラ制御システムの制御方法は、カメラにより撮影された画像における検出領域に応じて、カメラの調整パラメータを制御するカメラ制御システムの制御方法であって、予め複数のカメラについての検出領域情報を記憶手段に記憶しておき、前記カメラのカメラ仕様情報を取得し、取得したカメラ仕様情報に対応する検出領域を前記記憶手段から読み出し、前記カメラにより撮影された画像上に前記読み出した検出領域を示す枠を重畳して表示手段に表示するよう制御することを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】